(57)【特許請求の範囲】
【請求項１】
プロセスセンサモジュール（１００）を備え、
該プロセスセンサモジュール（１００）が、
バスアダプタモジュール（１０２）上の第２の取り付け部品（１０８）と回転可能に結合するように適合された第１の取り付け部品（１０６）を含み、プロセス容器（１７０）に固く装着するように構成されているハウジング（１０４）と、
プロセス変数を感知するように適合されたプロセスセンサ（１１２）を含む、前記ハウジング（１０４）内に配置された集積回路（１１０）と、
前記集積回路（１１０）に結合されて、前記集積回路（１１０）を励起するように適合され、感知されたプロセス変数を前記バスアダプタモジュール（１０２）に伝え、バスアダプタモジュールから前記集積回路（１１０）へデータを伝える２導体回路（１１６）と、
前記２導体回路（１１６）を前記バスアダプタモジュール（１０２）に接続するように構成され、絶縁体（１３２）で取り囲まれて前記第１の取り付け部品（１０６）に固定された第１の同軸電気接点（１２０）とを備え、
前記バスアダプタモジュール（１０２）が、前記第２の取り付け部品（１０８）に固定され、第１の同軸電気接点（１２０）に対して回転可能に設けられた第２の同軸電気接点（１２４）を含んでおり、
前記第１の取り付け部品（１０６）が第１のねじ（１０７）を含み、前記第２の取り付け部品（１０８）が、該第１のねじ（１０７）に結合される第２のねじ（１０９）を含んでいるとともに、
前記第１および第２の同軸電気接点（１２０、１２４）が、前記第１および第２の取り付け部品（１０６、１０８）に形成されている前記第１のねじおよび前記第２のねじが結合されたときに自動的に結合され、
前記第１の取り付け部品（１０６）に関して前記第２の取り付け部品（１０８）が回転することで、前記第１のねじおよび第２のねじが結合され、前記バスアダプタモジュール（１０２）上の導管ハブ（１６１）の位置を、プロセスセンサモジュールのハウジングに関して回転的に変えるように構成され、
かつ、前記第１および第２の同軸電気接点（１２０、１２４）が、前記第１の取り付け部品（１０６）に対して前記第２の取り付け部品（１０８）が少なくとも７２０度回転する範囲に亘って互いの結合を維持するように構成されているプロセス送信機。
【請求項２】
前記集積回路が、１０ボルトより低い供給電圧レベルで作動する集積回路を含む請求項１記載のプロセス送信機。
【請求項３】
前記第１および第２の同軸電気接点が、互いに滑動的に係合する請求項１記載のプロセス送信機。
【請求項４】
前記第１および第２の同軸電気接点のうちの少なくとも１つが、ばね荷重される請求項１記載のプロセス送信機。
【請求項５】
前記バスアダプタモジュールが、前記２導体回路に結合された第１の巻線、および通信バスに結合された第２の巻線を有する変圧器であって、該変圧器が前記第１の巻線と第２の巻線との間にガルバーニ絶縁障壁を含む変圧器を含む請求項１のプロセス送信機。
【請求項６】
前記第１または第２の同軸電気接点がばね荷重されたピンを含む請求項１記載のプロセス送信機。
【請求項７】
前記集積回路がデルタ／シグマ変換器を含む請求項１記載のプロセス送信機。
【請求項８】
前記プロセスセンサが圧力センサである請求項１記載のプロセス送信機。
【請求項９】
前記プロセスセンサモジュールのハウジングが接地される請求項１記載のプロセス送信機。
【請求項１０】
前記プロセスセンサモジュールのハウジングが前記２導体回路の１つの導体に電気的に結合された請求項１記載のプロセス送信機。
【請求項１１】
前記プロセスセンサモジュールのハウジングが接地される請求項１０記載のプロセス送信機。
【発明の詳細な説明】
【０００１】
【発明の属する技術分野】
発明の分野
本発明は、産業流体処理プラント内で用いられる流体プロセス送信機に関する。特に、本発明は、プロセス送信機で用いられるプロセスセンサモジュールに関する。
【０００２】
【従来の技術】
発明の背景
圧力送信機内には、通常、組み立てられた２つの離れたハウジングが存在する。ハウジングのうちの１つは、圧力取付け部品のための配管結合を有し、実際の圧力のセンサ、および電子部品をその上に有する回路基板を含むセンサモジュールハウジングである。第２のハウジングは、追加的な回路部品を有する回路基板、および通信バスを保持する導管を圧力送信機に結合するための、１つ以上のねじ付き導管ハブを有する電子部品組み込みハウジングである。多心ケーブルが、ハウジング間の内部開口を通って、回路基板を結合する。
【０００３】
一般的には、第１の（センサ）ハウジングは圧力取付け部品に堅く取り付けられ、第２の（電子部品）ハウジングは第１のハウジングに関して回転可能である。これにより、第２のハウジング上の導管ハブは、通信バスを保持する導管に都合よく結合される。この回転能力を提供するための配列の１つが、ペトリッチ（Petrich）の米国特許第５，０２８，７４６号に示される。
【０００４】
【発明が解決しようとする課題】
低電力で作動するより小型化された集積回路が入手可能になってきたので、センサモジュールの大きさおよび消費電力を低減するために、それら集積回路を用いるという要望が存在する。しかしながら、多心ケーブルを介して低電力集積回路内へ通過する通信バスの高レベルの信号およびノイズという問題がある。信号対ノイズの比率は、センサ電子回路内の低減された電力または信号レベルによって低下されて、低電力集積回路は、そのノイズによって用いられることができない。
【０００５】
ノイズの問題の解決策を見つけるのは困難である。密封されるか濾波されなければならない多数の導体が存在する。また、より多くの通信バスプロトコルが導入されるので、より広範な様々なノイズのシナリオが遭遇させられる。いくつかの通信バスは接地された１つのリード線（「単一端」線：“single-ended” line）を有し、いくつかの通信バスは接地されていないリード線（「平衡」線：“balanced” line）を有する。各通信プロトコルはまた、それぞれが別の解決されるべきノイズの問題を生じる独自の信号周波数レンジを有する。
【０００６】
温度、ｐＨ、および流量送信機のような他のプロセス送信機においては、圧力送信機に関して上述した問題に類似の問題が生じる。
【０００７】
より広範な様々な通信バスプロトコルに回転可能に結合でき、過度のノイズがセンサモジュールに伝導するのを避けるプロセス送信機が必要とされるので、センサモジュール内で低電力レベル集積回路が用いられる。
【０００８】
【課題を解決するための手段】
発明の概要
プロセスセンサモジュールは、バスアダプタモジュール上の対応する取り付け部品と回転可能に結合する、第１の取り付け部品を有するハウジングを含む。ハウジング内の集積回路は、プロセスセンサを含む。２導体回路は集積回路を励起し、感知されたプロセス変数をバスアダプタモジュールに伝え、バスアダプタモジュールから集積回路へデータを伝える。回転可能な同軸の電気的接触部品は、第１の取り付け部品内に密封され、２導体回路をバスアダプタモジュールに接続する。
【０００９】
【発明の実施の形態】
詳細な説明
本発明においては、プロセス送信機は、回転可能な同軸の電気的接触部品の配列を経由して、高出力回路を有するバスアダプタモジュールに結合される、低電力で、ノイズ高感度な集積回路を含むプロセスセンサモジュールを有する。回転可能な同軸の電気的接触部品の配列は、センサモジュールとバスアダプタモジュールとの間で２導体回路を結合する。接触配列内の滑動部品が相互回転の広いレンジに亘って接触を維持している間は、バスアダプタモジュールおよびプロセスセンサモジュールは、それぞれ互いに回転可能である。ねじ付きコネクタ配列が用いられる時には、電子部品回路を完成するために、ねじが固く締められる必要はない。２つのモジュール間を結合する単一の接地されない導体だけを残して、２導体回路の導体のうちの１つが接地される。この配列は、低電力集積回路へのノイズ伝達を低減し、低電力集積回路を絶縁することを促進する。
【００１０】
同軸結合は回転可能なので、バスアダプタモジュール上の導管入口ハブは、バス導体を保持する導管を送信機に都合よく整列させられることができる。接地されない導体は、広い回転レンジに亘って係合される滑り接点を形成する。モジュール間に多心リボンケーブルを用いることが回避され、低電力集積回路がプロセスセンサモジュール内で用いられることができる。
【００１１】
好ましい配列では、絶縁変圧器が２導体回路のためのガルバーニ絶縁をも提供する。
【００１２】
【実施例】
図１は、回転可能な同軸の電気的接触部品の配列９６を有するプロセス送信機９８の第１の実施例の概略断面図を示す。プロセス送信機９８は、回転可能な同軸の電気的接触部品の配列９６によって機械的にかつ電気的に結合される、プロセスセンサモジュール１００およびバスアダプタモジュール１０２を含む。結合配列９６は、その適用の要求に従って、様々なバスアダプタモジュール１０２を有する様々なセンサモジュール１００のモジュラアセンブリが可能となるように、ユーザによって分離されることができる。
【００１３】
プロセスセンサモジュール１００は、バスアダプタモジュール１０２上の第２の取り付け部品１０８に回転可能に結合するねじ山１０７を有する第１の取り付け部品１０６を含むハウジング１０４を有する。第２の取り付け部品１０８は、ねじ山１０７と係合するねじ山１０９を含む。
【００１４】
プロセスセンサモジュール１００は、ハウジング１０４に囲まれた集積回路１１０を含む。集積回路１１０は、流体プロセス変数１１４を感知するように適合されたプロセスセンサ１１２を含む。プロセスセンサ１１２は、典型的には圧力である流体プロセス変数１１４を感知する圧力センサである。しかしながら、プロセスセンサ１１２は、適宜に適合されたハウジング１０４を有する、温度、ｐＨ、流量センサ、あるいは類似のもののような、他の形式のセンサであってもよい。典型的には差圧であるプロセス変数１１４は、ボルト１３０によってプロセスセンサモジュール１００に堅くボルト締めされたインパルス線（ 図１には図示されず）によって供給される。
【００１５】
２導体回路１１６は、集積回路１１０を、金属製のハウジング１０４および回転可能な同軸の電気的接触部品の配列９６内の接点１２０に電気的に接続する。金属製のハウジング１０４は、２導体回路１１６の導体のうちの１つに接続されるのはもちろんプロセス接続を経由して接地されるのが好ましい。金属製のハウジング１０４は、ファラデーシールドとして機能する。
【００１６】
２導体回路１１６は、低電力集積回路１１０の要求に合った非常に低い電力回路である。２導体回路１１６上の電圧レベルは、典型的には、１０ボルトかそれ以下である。２導体回路１１６は、送信機９８内部の非常に短い間隔、典型的には２５ｃｍ以下に亘って電流を伝える。２導体回路１１６の特性は、典型的には５０ボルトに達する電圧を有し、数百メートルの距離に亘って電流を伝える、２線式４−２０ｍＡの産業プロセス制御遠隔測定回路の特性とは非常に異なる。
【００１７】
２導体回路１１６は、集積回路１１０にエネルギを供給する。２導体回路１１６は、感知されたプロセス変数をバスアダプタモジュール１０２へ伝える。２導体回路１１６はまた、バスアダプタモジュール１０２から集積回路１１０へデータを伝える。回路１１６で、双方向デジタル通信信号が、励起電流上に畳重されることができる。あるいは、バスアダプタモジュール１０２からのデジタル通信信号が、集積回路１１０を励起するために用いられることができる。集積回路１１０は、図１９に図示される回路の例に関連して詳細に後述される。
【００１８】
同軸の電気的接触部品１２０は、バスアダプタモジュール１０２上の接点１２４に関して回転可能である。接点１２０は、好ましくはガラス製の電気絶縁リング１３２によって、第１の取り付け部品１０６内に密封されかつ固定される。接点１２０、１２４、およびねじ山１０７、１０９は、２導体回路１１６をバスアダプタモジュール１０２に電気的に接続する。２導体回路１１６および回転可能な同軸の電気的接触部品の配列９６は、フィールド配線１５２から生じるかまたはバスアダプタ回路１５４によって生成されるノイズから集積回路１１０を隔離する。
【００１９】
ひとつの実施例では、バスアダプタモジュール１０２は、取り外し可能な２つのねじ付きカバー１４２を有する金属製ハウジング１４０を含む。ハウジング１４０は、バスアダプタ電子部品区画１４８からフィールド配線区画１４６を分離する壁１４４を有する２区画ハウジングである。封止されたターミナルブロック１５０ は、フィールド配線回路１５２をバスアダプタ回路１５４に結合する。バスアダプタモジュール１０２ は、第２の取り付け部品１０８内に配置され、第１の同軸の電気的接触部品１２０と回転可能に結合する、第２の同軸の電気的接触部品１２４を含む。第１および第２の同軸の電気的接触部品１２０、１２４は、第１および第２の取り付け部品１０６、１０８が結合される時に自動的に結合する。
【００２０】
電気的接点１２０、１２４の滑動性の回転可能な係合が存在する。接点１２０、１２４は、第１の取り付け部品１０６上の第２の取り付け部品１０８の少なくとも７２０度の回転の回転範囲に亘って噛み合わされる。
【００２１】
第１および第２の電気的接点１２０、１２４のうちの少なくとも１つが、良好な電気的接触を提供するためにばね荷重される。典型的には、外部接点１２４は、接点１２０への要求される接触を提供するために、細長い穴が穿たれた金属製のばねからなる。
【００２２】
バスアダプタ回路１５４は、フィールド配線回路１５２上に用いられるプロトコルに合うように、様々な様式のバスアダプタモジュールから選択可能である。典型的には、回路１５２上のフィールド配線プロトコルは、４−２０ｍＡループ、ＨＡＲＴ、ファンデーションフィールドバス（Foundation Fieldbus）、ＣＡＮ、プロフィバス（Profibus）および類似のもののような産業フィールド遠隔測定プロトコルを含むことができる。バスアダプタ回路の一例が、ワリオール（Warrior）の米国特許第５，７６４，８９１号に示される。
【００２３】
バスアダプタモジュール１０２は、バスアダプタ回路１５４に結合された変圧器１８０の一方の側と、集積回路１１０および２導体回路１１６に結合された変圧器１８０の他方の側との間にガルバーニ障壁およびノイズ分離を提供する絶縁変圧器１８０を含む。変圧器１８０は、２導体回路に結合された第１の巻線、および回路１５４を介して通信バス１５２に結合された第２の巻線を有する。変圧器１８０は、第１の巻線と第２の巻線との間にガルバーニ絶縁障壁を含むのが好ましく、また、前記巻線間に、接地されたファラデーシールドを含むのが好ましい。
【００２４】
変圧器１８０は、高感度低電力集積回路１１０へのノイズ伝達を低減する。集積回路１１０は、１０ボルトより低い供給電圧レベルで作動する集積回路を含む。
【００２５】
ひとつの実施例では、フィールド配線回路１５２は、ハウジング１４０上のねじ付き導管入口１６１で結合された電気的導管１６０によって送信機１００内に挿入される。導管１６０の配置は、図２に関連して以下に詳しく図示される。
【００２６】
図２は、圧力を感知し、タンクフランジ１７０にしっかりと装着されたセンサモジュール１００を有し、センサハウジング１０４に関して回転可能なバスアダプタモジュール１０２を有する圧力送信機９８を図示する。バスアダプタモジュール１０２は、２つのねじ付き導管入口１６１のうちの1つが電気的導管１６０のねじ付きの端部と一列に整列するように矢印１７２で図示されるように回転されることができる。
【００２７】
ハウジング１０４は、レベルフランジ１７０のようなプロセス容器にボルト１３０によってしっかりと取り付けられるように適合される。第１のねじ付き取り付け部品１０６に関して第２のねじ付き取り付け部品を回転することによって、バスアダプタモジュール１０２上の導管ハブ１６１の位置を回転的に変える。つまり、導管ハブ１６１の一方は、容易に導管端部１６０と一列に整列させられて、フィールド配線結合が完成する。
【００２８】
図１〜２に図示される配列９６のような回転可能な同軸の電気的接触部品の配列は様々な方法で形成されることができ、そのいくつかが図３〜１８に図示される他の例に関連して以下に詳述される。図１〜２で用いられる参照符号と同じ図３〜１８の符号は、同一または類似の特徴を示す。
【００２９】
図３は、回転可能な同軸の電気的接触部品の配列を有する圧力送信機を図示する。図３では、丸い、円筒形スリーブ２００が、接点１２０の回りに同心に配列される。 円筒形スリーブ２００は、２導体回路１１６の導体のうちのひとつとして機能する。接点として円筒形スリーブ２００を用いることは、結合しているねじ山を電流が通過するのを回避する。２導体回路用のひとつの導体としてハウジングが用いられない場合、ハウジングはプラスチック樹脂で形成されることができる。円筒形スリーブ２００は、バスアダプタモジュール１０２に接する、対応する接触スリーブ２０２と滑動的に係合する。接触スリーブ２０２は、円筒形で、接点１２４の周りに同心に配列される。
【００３０】
図４は、回転可能な同軸の電気的接触部品の配列を有する圧力送信機を図示する。 図４では、半円形のばねクリップ２１０が、バスアダプタモジュール１０２のための接点として機能する。センサモジュール１００の頂端部２１２は、ばねクリップ２１０との回転的な滑動性結合接点として機能する。この配列もまた、ねじ山を通過して流れる２導体回路１１６内の電流を回避する。
【００３１】
図５は、回転可能な同軸の電気的接触部品の配列を有する圧力送信機を図示する。図５では、絶縁変圧器１８０が、バスアダプタモジュール１０２ではなくセンサモジュール１００内に配置される。図５ではまた、細長い穴を穿たれた外部接点１２４が圧力センサハウジング１０４内に密封される一方、ピンまたは接点１２０がバスアダプタモジュール１０２内に密封される。図５に示される実施例は、他の特徴においては、図１〜２に示される実施例と同じである。
【００３２】
図６〜８は、バスアダプタモジュール用の１つの接点として機能する、ばね荷重された金属製のピン２２４を含む、回転可能な同軸の電気的接触部品の配列の他の実施例を図示する。ばね２２２は、ピン２２４上に、偏りまたは接触力を提供する。金属製のシリンダ２２０は、ばね２２２を保持する密閉された端部を有し、またバスアダプタハウジング１４０の密封を完全にする。図６では、接点は鋭利な先端部２２６で形成される。図７では、接点は導電性のゴムの塊２２８で形成される。図８では、第１および第２の取り付け部品１０６、１０８にはねじ山がつけられていない。ねじ山の代わりに、クランプ２３０および止めねじ２３２がハウジング１４０、１０４を一緒に固定し、同時にそれらが相互に回転可能なように用いられる。
【００３３】
図９は、回転可能な同軸の電気的接触部品の配列３０２を有する圧力送信機３００の分解立体図を図示する。図９では、圧力センサモジュール３０４は、プロセス差圧（Ｐ１−Ｐ２）３０５を感知する。圧力センサモジュール３０４は、中心の回転可能な電気的接点３０６、および電気的接点としても機能する外側にねじ山を付けられた表面３０３を含む。接点３０３、３０６は、センサモジュール３０４内の低電力集積回路を励起する、センサモジュール３０４内の２導体回路に結合される。バスアダプタ回路３１２は、圧力送信機３００が組み立てられる時に接点３０３と結合する電気的な接点として機能する、内側にねじ山を付けられた穴３１０を含む。バスアダプタ回路３１２はまた、ばね荷重され、接点３０６と接触する中心接点３０８を含む。ばね荷重は、図７に図示されたものと同様にできる。バスアダプタ回路３１２は、その端部に電気的バスコネクタ３１４を有する外側にねじ山を付けられたシャフト３１６を含む、金属製のハウジング内に存在する。
【００３４】
電気的バス結合用に囲いを必要としない適用では、フィールドバスはコネクタ３１４内に直接的に差し込まれることができる。電気的バスコネクタ用に囲いを必要とする適用では、配線の囲い３２０が追加されることができる。配線の囲い３２０は、外側のねじ山３１６と螺合する内側のねじ山３１８を有する。配線の囲い３２０は、センサモジュール３０４に関して都合よく回転させられることができる導管入口３２２を有する。この回転によって、導管入口３２２は、送信機３００用に電気的バス配線を保持するフィールド配線導管と一列に整列する。
【００３５】
図１０は、図９の圧力送信機と関連付けられる回路経路を図示する。センサモジュール３０４の外側ハウジングは、図示されるように、接地導電路３３６でプロセス配管に装着されかつ接地される。フィールド配線回路１５２は、プロセス接地から離れた場所、典型的には制御システム３３２の接地導電路３３４で接地される。接地導電路３３４、３３６は、互いに離れており、浮遊接地電流が、接地導電路３３４、３３６間のノイズポテンシャルＥＮを生成する。変圧器１８０は、圧力センサモジュール３０４内の高感度集積回路１１０を通過する接地電流の流れを阻止するガルバーニ絶縁障壁３３０を含む。つまり、変圧器１８０は、高感度集積回路１１０を通過する接地ループを切断する。接地電流は、たとえあるとしても、経路３３８、３４０に沿ってハウジングを通過する。
【００３６】
図１１は、図９の圧力送信機の組立図を示す。
【００３７】
図１２〜１５は、図９〜１１の圧力センサモジュール３０４の１つの実施例をより詳細に図示する。圧力センサモジュール３０４は、圧力センサモジュール３０４をプロセス圧力配管に取り付ける取り付けボルトを受け入れるためのねじ山を付けられたボルト穴３５０を含む。従来設計のものであることができる絶縁体３５２は、圧力をかけられたプロセス流体を受ける。他の点では、圧力センサモジュール３０４は、全体的には、図１に図示される圧力センサモジュール１００の配線に従って配置される。
【００３８】
図１６〜１８は、圧力センサモジュール４００の他の実施例を図示する。圧力センサモジュール４００は、電気的接点４０６の周りに同軸的に配置された、ねじ山を付けられた部分４０４を有するハウジング４０２を含む。ハウジング４０２および電気的接点４０６は、１つ以上の圧力センサ１１２を含む集積回路１１０に結合する２導体回路１１６に結合される。圧力センサモジュール４００は、加圧されたプロセス流体からのプロセス差圧を受け取る絶縁体ダイヤフラム４１０に結合された圧力センサ１１２を含む。圧力センサモジュール４００はまた、大気圧を感知するために絶縁体４１２を介して結合される圧力センサ１１２を含む。圧力センサ４００は、プロセス配管に圧力センサモジュール４００を取り付けるためのボルト（およびナットも）を受け入れるためのねじ山のないボルト穴４１４を含む。他の点では、圧力センサモジュール４００は、全体的には、図１に図示される圧力センサモジュール１００の配線に従って配置される。
【００３９】
図１９は、圧力センサモジュール内の低電力回路４５０の詳細の一例を図示する。回路４５０は、容量型圧力センサ４５２、４５４、４５６、および低電力集積回路４５８を含む。
【００４０】
容量型圧力センサ４５２は、図１５に図示される絶縁体３５２のような２つの圧力インレット間の差圧を感知する。容量型圧力センサ４５２は、本明細書に参照によって組み込まれる「向上されたエラー補償を有するプロセス圧力測定装置」（PROCESS PRESSURE MEASUREMENT DEVICES WITH IMPROVED ERROR COMPENSATION）と題する、１９９９年５月１４日に出願された出願番号第０９／３１２，４１１号に記述されるような、補償用の追加的なプレートを有しない、あるいは有する２枚のプレートの容量型センサであってよい。
【００４１】
ひとつの実施例では、圧力センサモジュールは、２つの絶縁体３５２のうちの１つに結合された絶対圧センサである容量型圧力センサ４５４を含むのが好ましい。センサ４５４は、ある適用においては、ライン圧に起因する誤差を読み取る差圧を補償するために用いられることができるライン圧を感知する。
【００４２】
容量型圧力センサ４５６は絶対圧センサである。センサ４５６は、例えば、いくつかのタンクレベルへの適用において大気圧を補償するために用いられることができる、センサモジュール近くの大気圧を感知する。
【００４３】
低電力回路４５０は、デルタ／シグマ変換器４６０、スイッチ４６２、４６３、４６４、励磁源４６６、および基準コンデンサ４７０を含む。デルタ／シグマ変換器４６０は、励磁源４６６でスイッチ４６２、４６３、４６４の駆動を同期的に制御する制御バス４６８を含む。
【００４４】
デルタ／シグマ回路４６０の作動中、選択された感知コンデンサのうちの１つ（センサ４５２、４５４、４５６のうちの１つの感知コンデンサ）は、スイッチ４６３のうちの選択された１つによって接地部４６５に結合され、励磁源４６６による励磁電圧に充電される。その後、選択されたコンデンサは、スイッチ４６２のうちの選択された１つを通ってデルタ／シグマ変換器４６０の充電入力Ｑとして十分に放電される。この充電と放電は、それぞれの感知コンデンサについて繰り返される。この充電と放電はまた、デルタ／シグマ変換器４６０の充電入力Ｑで累積された充電を定期的にゼロにするために、基準コンデンサ４７０用に選択された間隔で繰り返される。デルタ／シグマ変換器４６０は、感知コンデンサおよび基準コンデンサ４７０からの充電を測定し、センサ４５２、４５４、４５６によって感知される圧力を表す１ビットシリアル出力４７２を計算する。
【００４５】
インタフェース回路４７４は、１ビット出力４７２を受信し、圧力を表すデータを２導体回路４７６に沿ってバスアダプタモジュール４８０に連続的に伝える。バスアダプタモジュール４８０は、好ましくはフィールドバス４８６とセンサモジュール回路４５０との間にガルバーニ絶縁障壁４８４を提供する変圧器４８２を含む。
【００４６】
インタフェース回路４７４はまた、変圧器４８２から低電力の励起を受け取り、センサモジュール回路４５０の全てに電力を分配する。
【００４７】
インタフェース回路４７４はまた、２導体回路４７６を介してバスインタフェース回路４８０から通信信号を受信し、バスアダプタ回路４８０から受信された通信に従って、センサモジュール回路４５０の動作を調整する。
【００４８】
本発明を好ましい実施例によって説明してきたが、本発明の精神や範囲を逸脱することなく詳細や形式上の変更が可能なことを当業者は理解するであろう。
【図面の簡単な説明】
【図１】回転可能な同軸の電気的接触部品の配列を有するプロセス送信機を示す。
【図２】タンクフランジに固く取り付けられたセンサハウジングと、センサハウジングに関して回転可能なバスアダプタモジュールを有する圧力送信機を示す。
【図３】回転可能な同軸の電気的接触部品の配列を有する圧力送信機の実施例を示す。
【図４】回転可能な同軸の電気的接触部品の配列を有する圧力送信機の実施例を示す。
【図５】回転可能な同軸の電気的接触部品の配列を有する圧力送信機の実施例を示す。
【図６】回転可能な同軸の電気的接触部品の配列の実施例を示す。
【図７】回転可能な同軸の電気的接触部品の配列の実施例を示す。
【図８】回転可能な同軸の電気的接触部品の配列の実施例を示す。
【図９】回転可能な同軸の電気的接触部品の配列を有する圧力送信機の分解立体図を示す。
【図１０】図９の圧力送信機に関連付けられた回路経路を示す。
【図１１】図９の圧力送信機の組立図を示す。
【図１２】図９の圧力センサモジュールをより詳細に示す。
【図１３】図９の圧力センサモジュールをより詳細に示す。
【図１４】図９の圧力センサモジュールをより詳細に示す。
【図１５】図９の圧力センサモジュールをより詳細に示す。
【図１６】圧力センサモジュールの別の実施例を示す。
【図１７】圧力センサモジュールの別の実施例を示す。
【図１８】圧力センサモジュールの別の実施例を示す。
【図１９】圧力センサモジュール内の集積回路の詳細を示す。
【符号の説明】
９６……電気的接触部品の配列、９８……プロセス送信機、１００……プロセスセンサモジュール、１０２……バスアダプタモジュール、１０４……ハウジング、１０６……第１の取り付け部品、１０７、１０９……ねじ山、１０８……第２の取り付け部品、１１０……集積回路、１１２……プロセスセンサ、１１４……流体プロセス変数、１１６……２導体回路、１２０、１２４……接点、１３０……ボルト、１３２……電気絶縁リング、１４０……ハウジング、１４２……カバー、１４４……壁、１４６……フィールド配線区画、１４８……バスアダプタ電子部品区画、１５０……ターミナルブロック、１５２……フィールド配線回路、１５４……バスアダプタ回路、１６０……導管、１６１……導管入口、１８０……変圧器
【図１】
0004612986.tif 000002
【図２】
0004612986.tif 000003
【図３】
0004612986.tif 000004
【図４】
0004612986.tif 000005
【図５】
0004612986.tif 000006
【図６】
0004612986.tif 000007
【図７】
0004612986.tif 000008
【図８】
0004612986.tif 000009
【図９】
0004612986.tif 000010
【図１０】
0004612986.tif 000011
【図１１】
0004612986.tif 000012
【図１２】
0004612986.tif 000013
【図１３】
0004612986.tif 000014
【図１４】
0004612986.tif 000015
【図１５】
0004612986.tif 000016
【図１６】
0004612986.tif 000017
【図１７】
0004612986.tif 000018
【図１８】
0004612986.tif 000019
【図１９】
0004612986.tif 000020